(57)【要約】  【課題】ディスク再生時のメニュー操作を簡単にするとともに、ディスクの再生に関連したパラメータ調整を簡単に設定することができるディスク再生装置を提供する。  【解決手段】ディスクが再生装置に装填されると、ディスク情報が取得され（ステップ101）、メモリに同一のディスク情報があるか否かが判定される（ステップ103）。同一のディスク情報があった場合には、メモリからそのディスク情報に対応して記憶されているデバイス制御情報、画質調整パラメータ、音質調整パラメータが読み出されて各処理部に転送される（ステップ104、105、106）。そして、ユーザが画像調整等の操作を行った場合には、その操作情報がメモリのそのディスクに対応する記憶領域に記憶されるとともに、対応する処理部にその操作情報が送信される（ステップ108）。  【選択図】図２
2006031866.tif 000002
【特許請求の範囲】
【請求項１】
ディスクに記録された内容を読み出す再生手段と、上記再生手段からの再生出力が入力される音声及び／または画像処理手段と、ディスク情報及び調整パラメータを記憶する記憶手段と、上記音声及び／または画像処理手段の特性を調整する制御手段とを備えたディスク再生装置であって、
ディスク再生時に、上記制御手段がディスク情報を読み出して上記記憶手段に記憶されたディスク情報と比較し、一致するディスク情報があった場合、該当するディスクの調整パラメータを上記音声及び／または画像処理手段に設定することを特徴とするディスク再生装置。
【請求項２】
請求項１に記載のディスク再生装置において、
上記ディスク情報が収録時間及び収録トラック数であることを特徴とするディスク再生装置。
【請求項３】
請求項１に記載のディスク再生装置において、
上記調整パラメータが再生チャンネル数の選択であることを特徴とするディスク再生装置。
【請求項４】
請求項１に記載のディスク再生装置において、
上記調整パラメータが組み合わせるディジタルサラウンドモードの選択であることを特徴とするディスク再生装置。
【請求項５】
請求項１に記載のディスク再生装置において、
上記調整パラメータがダウンミックス処理の有無であることを特徴とするディスク再生装置。
【請求項６】
請求項１に記載のディスク再生装置において、
上記調整パラメータがタイムアライメント処理の有無であることを特徴とするディスク再生装置。
【請求項７】
請求項１に記載のディスク再生装置において、
上記調整パラメータが画質調整値であることを特徴とするディスク再生装置。
【請求項８】
請求項１に記載のディスク再生装置において、
上記調整パラメータがイコライザ特性の係数であることを特徴とするディスク再生装置。
【請求項９】
ディスクに記録された内容を読み出す再生手段と、上記再生手段からの再生出力が入力される音声及び／または画像処理手段と、ディスク情報及び制御情報を記憶する記憶手段と、上記再生手段を制御する制御手段とを備えたディスク再生装置であって、
ディスク再生時に、上記制御手段がディスク情報を読み出して上記記憶手段に記憶されたディスク情報と比較し、一致するディスク情報があった場合、該当するディスクの制御情報により上記再生手段を制御することを特徴とするディスク再生装置。
【請求項１０】
請求項９に記載のディスク再生装置において、
上記制御情報がハイブリッドＣＤでのＣＤ／ＳＡＣＤの選択情報であることを特徴とするディスク再生装置。
【請求項１１】
請求項９に記載のディスク再生装置において、
上記制御情報がＤＴＳ、ドルビーサラウンドの再生フォーマットであることを特徴とするディスク再生装置。
【請求項１２】
ディスクに記録された内容を読み出す再生手段と、上記再生手段からの再生出力が入力される音声及び／または画像処理手段と、ディスク情報及び調整パラメータを記憶する記憶手段と、上記音声及び／または画像処理手段の特性を調整する制御手段とを備えたディスク再生装置であって、
上記制御手段がディスク情報に基づいてインターネットサーバから推奨パラメータを取得し、上記ディスク情報と対応付けて上記記憶手段に記憶するとともに、当該推奨パラメータを上記音声及び／または画像処理手段に設定することを特徴とするディスク再生装置。
【請求項１３】
ディスクに記録された内容を読み出す再生手段と、上記再生手段からの再生出力が入力される音声及び／または画像処理手段と、ディスク情報及び制御情報を記憶する記憶手段と、上記再生手段を制御する制御手段とを備えたディスク再生装置であって、
上記制御手段がディスク情報に基づいてインターネットサーバから推奨制御情報を取得し、上記ディスク情報と対応付けて上記記憶手段に記憶するとともに、当該推奨制御情報により上記再生手段を制御することを特徴とするディスク再生装置。
【発明の詳細な説明】
【技術分野】
【０００１】
本発明は、ＤＶＤ−ビデオ再生装置、ＳＡＣＤ再生装置等のユーザの操作により再生方式を選択できるディスク再生装置や、サラウンドモード選択あるいは画質調整等のユーザによる種々の調整が可能なディスク再生装置に関する。
【背景技術】
【０００２】
ディスク再生装置で再生されるディスクとしては、ＣＤ（コンパクトディスク）、ＣＤ−ＲＯＭ、ビデオＣＤ、ＤＶＤ（デジタルバーサタイルディスク）等があり、これらのディスクは記録されている情報のデータフォーマット、圧縮方式、データ記録密度などが様々であるが、光ヘッドにより読み出すことができるので、複数種類のディスクに兼用可能なディスク再生装置が開発されている。
【０００３】
このような兼用ディスク再生装置では、ディスクの種類に応じて信号処理回路の各パラメータなどを適宜選択、設定しなければならないので、ディスクのデータ再生前に、ディスクの種類を判別し、判別結果によりディスク再生装置のパラメータ変更、例えば光ヘッドのレーザパワー、プリアンプにおけるフォーカスエラー信号生成回路のゲイン、オフセットなどのパラメータや、プリアンプにおけるイコライザ特性の切り換え等を行っている（例えば、特許文献１参照。）。
【特許文献１】特開平９−２７４７６５号公報
【発明の開示】
【発明が解決しようとする課題】
【０００４】
上記のように、兼用ディスク再生装置では、ディスクの種類に応じて信号処理回路の各パラメータなどが自動的に選択、設定されるが、ＤＶＤディスクは、信号処理回路のパラメータ設定以外に、以下のように、ＤＶＤ自体のメニュー操作やＤＶＤの再生に関連したパラメータ調整が数多くあり、再生時にはユーザが様々なパラメータを調整できるようになっている。
【０００５】
１）再生チャンネル数の選択（センターＣＨの有無、ウーファの有無）
マルチチャンネルの音声再生を行う再生システムでは、例えばサラウンド再生やホームシアターを実現するため、ＤＶＤプレーヤなどの再生装置、マルチチャンネル対応のＡＶアンプ装置及び５〜８個程度のスピーカを備えているものが多い。例えば、５．１チャンネルサラウンド再生を行うＤＶＤ再生システムにおいては、ＤＶＤプレーヤと、マルチチャンネルＡＶアンプと、左側フロントスピーカ、右側フロントスピーカ、センタースピーカ、サブウーファ、左側リアスピーカ、右側リアスピーカといった６個のスピーカを備えている。
【０００６】
このようなサラウンドシステムを使用する場合、ユーザはＡＶアンプ装置やＤＶＤプレーヤに対してスピーカ接続の有無やスピーカ位置などを設定しなければならず、また、映画ソフト再生中は、センタースピーカを使用し、クラシック音楽ソフト再生中は、センタースピーカを使用しない等の切り替えを希望する場合には、ディスクの入替え毎に設定を変更しなければならない。
さらに、ＤＶＤソフトによって音声出力のチャンネル設定が異なる場合があり、この場合には、ユーザはＤＶＤを交換する度に、ディスク再生装置における音声出力のチャンネル設定を変更することが要求される。このため、設定変更作業に手間がかかり、ユーザの負担が大きいという問題がある。
【０００７】
２）ディジタルサラウンドモードの選択
マルチチャンネルを利用したドルビーＡＣ３方式などのサラウンド音声を再生するには、オーディオコーディングモードと呼ばれる、何種類かのスピーカの組み合わせ配置の態様を予め設定しておき、記録された音声情報がどのモードで録音されたのかをディジタルサラウンドモード情報から読み出して再生装置に設定しなければならないが、ロック、ジャズ等音楽ソースに応じてディジタルサラウンド機能を適宜切り替えて再生を行いたい場合には、ユーザはこのような機能の切り替え操作を行う必要がある。
【０００８】
３）ダウンミックス処理の有無
ＤＶＤから再生される製作者が指定したサラウンド制御情報とユーザが実在するスピーカ配置を指定した実在スピーカ情報とが相異した場合、再生された複数のチャンネルの音声情報をサラウンドモード情報により示されるスピーカの位置と、指定されたスピーカの位置との相異に応じてゲイン可変処理及び遅延時間処理を行うダウンミックス処理を実施する必要がある。このダウンミックス処理により、実在のスピーカ配置とサラウンド制御情報により示されるスピーカ配置との相異に応じて各チャンネルの音声信号を実際のスピーカ配置に対応した音声信号へとミックスダウンできる。
【０００９】
しかしながら、映画ソフト再生中は、センタースピーカを使用し、クラシック音楽ソフト再生中は、センタースピーカを使用しない等の切り替えをユーザが希望する場合、センタースピーカを使用しない場合には、センターチャンネルの信号を左右のフロントスピーカに均等に振り分けるダウンミックス処理が必要となるので、ユーザはディスクの交換毎にこのようなダウンミックス処理の有無の指定を行う必要がある。
【００１０】
４）タイムアライメント処理の有無
ＨＡＡＳ効果により、複数の音源から近似の音が発生している場合、時間的に一番早く音が出たソースに音像位置が定まる特性がある。前方へ音像定位させたいソース、例えばボーカル物の音楽ソフト等では、フロントスピーカに対し、リアスピーカ信号へディレイをかける等の処理を行うことで前方定位を実現でき、これらの処理をタイムアラインメント処理と呼んでいる。このタイムアラインメント処理を希望するユーザは、ディスク毎にタイムアラインメント処理の有無を設定しなければならず、手間がかかる。
【００１１】
５）画質調整
画面を明るくすると明るい映像部分が白っぽくなる現象や、暗くすると黒い部分が黒くつぶれてしまう現象があり、黒つぶれしやすいディスクでは明るく画質調整し、逆に白つぶれしやすいディスクでは暗く画質調整することで再生が適正化されるので、画質が良好な状態で視聴したいユーザはディスク毎に画質調整を行わなければならず、負担となっている。
【００１２】
６）音声イコライザ特性調整
イコライザ装置は、音声信号の特定の周波数帯域におけるゲインを上昇させるブーストまたは下降させるカットを行うことによって、音声信号の周波数特性を調整するものであり、最適な音声イコライザ特性はソフト毎に異なるので、音声を最良な状態で視聴したいユーザはディスク毎に音声イコライザ特性の調整を行わなければならなかった。
【００１３】
７）ハイブリッドＣＤ（ＳＡＣＤ＋ＣＤ）でのＣＤ／ＳＡＣＤ選択
現行のＣＤより更に再生音質を高めるために、高密度の音声データを記録できるように構成されたＳＡＣＤ（Super Audio Compact Disk）がある。ＳＡＣＤには、２つのデータ記録層を持つ２層ディスクがあり、その中でも、第１層（スタンダード密度層）に現行のＣＤと同等のスタンダード密度のデータ、第２層（高密度層）に高密度のデータをそれぞれ記録させた、いわゆるハイブリッドＣＤと呼ばれるディスクが普及しつつある。ＳＡＣＤは、再生に関する物理的構造はＤＶＤと類似であり、再生方法も同じであるので、ＤＶＤプレーヤによりＳＡＣＤも再生できるようにしたＳＡＣＤ再生機能付きＤＶＤプレーヤも開発されている。
このようなハイブリッドＣＤを再生する場合、一般的にＳＡＣＤプレーヤを持っているユーザはＳＡＣＤとして再生し、ＣＤプレーヤを持っているユーザはＣＤとして再生する。そして、ＳＡＣＤプレーヤのユーザが間違ってＣＤとしてハイブリッドＣＤを再生し、間違いに気づいた場合には、あらためてＳＡＣＤへの切り替えを行って再生操作を行わなければならず、ユーザの操作負担が生じるという問題があった。
【００１４】
８）ＤＴＳ、ドルビーサラウンド等の再生フォーマットの選択
最近は２ＣＨ−ＰＣＭフォーマット、ＤＴＳ（Digital TheaterSystems）フォーマット、及びドルビーサラウンドフォーマットを選択できるディスクがある。一般的な音楽用ディジタルデータは非圧縮ＰＣＭオーディオデータとして２チャンネル分が記録され、ＤＴＳフォーマットでは、さらに多チャンネルのＰＣＭデータが圧縮オーディオデータとして記録される。このような再生フォーマットを選択できるディスクを再生する場合、音楽ディスクの場合は２ＣＨを選択し、ＤＴＳの選択が可能なディスクの場合は、ＤＴＳを選択する等の操作が必要となるので、再生前のユーザの操作負担がさらに増加している。
【００１５】
以上のように、ディスクを最良の状態で再生するためには、ＤＶＤソフト等に内蔵されているメニュー画面、再生装置内に内蔵されるメニュー画面、もしくは再生装置の前面ボタン操作により、ディスク再生毎にユーザが様々なパラメータを設定しなければならず、ユーザに煩雑な操作が要求されるという問題があった。
【００１６】
本発明は、上記の問題に鑑みてなされたもので、ディスク再生時のメニュー操作を簡単にするとともに、ディスクの再生に関連したパラメータ調整や再生部の制御状態を簡単に設定することができるディスク再生装置を提供することを目的とする。
【課題を解決するための手段】
【００１７】
上述の目的を達成するため、本発明に係るディスク再生装置（１）は、
ディスクに記録された内容を読み出す再生手段と、上記再生手段からの再生出力が入力される音声及び／または画像処理手段と、ディスク情報及び調整パラメータを記憶する記憶手段と、上記音声及び／または画像処理手段の特性を調整する制御手段とを備えたディスク再生装置であって、
ディスク再生時に、上記制御手段がディスク情報を読み出して上記記憶手段に記憶されたディスク情報と比較し、一致するディスク情報があった場合、該当するディスクの調整パラメータを上記音声及び／または画像処理手段に設定することを特徴とする。
【００１８】
また、本発明に係るディスク再生装置（２）は、ディスク再生装置（１）において、
上記ディスク情報が収録時間及び収録トラック数であることを特徴とする。
【００１９】
さらに、本発明に係るディスク再生装置（３）は、ディスク再生装置（１）において、
上記調整パラメータが再生チャンネル数の選択であることを特徴とする。
【００２０】
また、本発明に係るディスク再生装置（４）は、ディスク再生装置（１）において、
上記調整パラメータが組み合わせるディジタルサラウンドモードの選択であることを特徴とする。
【００２１】
さらに、本発明に係るディスク再生装置（５）は、ディスク再生装置（１）において、
上記調整パラメータがダウンミックス処理の有無であることを特徴とする。
【００２２】
また、本発明に係るディスク再生装置（６）は、ディスク再生装置（１）において、
上記調整パラメータがタイムアライメント処理の有無であることを特徴とする。
【００２３】
さらに、本発明に係るディスク再生装置（７）は、ディスク再生装置（１）において、
上記調整パラメータが画質調整値であることを特徴とする。
【００２４】
また、本発明に係るディスク再生装置（８）は、ディスク再生装置（１）において、
上記調整パラメータがイコライザ特性の係数であることを特徴とする。
【００２５】
また、本発明に係るディスク再生装置（９）は、
ディスクに記録された内容を読み出す再生手段と、上記再生手段からの再生出力が入力される音声及び／または画像処理手段と、ディスク情報及び制御情報を記憶する記憶手段と、上記再生手段を制御する制御手段とを備えたディスク再生装置であって、
ディスク再生時に、上記制御手段がディスク情報を読み出して上記記憶手段に記憶されたディスク情報と比較し、一致するディスク情報があった場合、該当するディスクの制御情報により上記再生手段を制御することを特徴とする。
【００２６】
さらに、本発明に係るディスク再生装置（１０）は、ディスク再生装置（９）において、
上記制御情報がハイブリッドＣＤでのＣＤ／ＳＡＣＤの選択情報であることを特徴とする。
【００２７】
さらに、本発明に係るディスク再生装置（１１）は、ディスク再生装置（９）において、
上記制御情報がＤＴＳ、ドルビーサラウンドの再生フォーマットであることを特徴とする。
【００２８】
また、本発明に係るディスク再生装置（１２）は、
ディスクに記録された内容を読み出す再生手段と、上記再生手段からの再生出力が入力される音声及び／または画像処理手段と、ディスク情報及び調整パラメータを記憶する記憶手段と、上記音声及び／または画像処理手段の特性を調整する制御手段とを備えたディスク再生装置であって、
上記制御手段がディスク情報に基づいてインターネットサーバから推奨パラメータを取得し、上記ディスク情報と対応付けて上記記憶手段に記憶するとともに、当該推奨パラメータを上記音声及び／または画像処理手段に設定することを特徴とする。
【００２９】
また、本発明に係るディスク再生装置（１３）は、
ディスクに記録された内容を読み出す再生手段と、上記再生手段からの再生出力が入力される音声及び／または画像処理手段と、ディスク情報及び制御情報を記憶する記憶手段と、上記再生手段を制御する制御手段とを備えたディスク再生装置であって、
上記制御手段がディスク情報に基づいてインターネットサーバから推奨制御情報を取得し、上記ディスク情報と対応付けて上記記憶手段に記憶するとともに、当該推奨制御情報により上記再生手段を制御することを特徴とする。
【発明の効果】
【００３０】
本発明に係るディスク再生装置（１）〜（８）によれば、ディスク再生時に、収録時間及び収録トラック数等のディスク情報が読み出されて記憶手段に記憶されたディスク情報と比較され、一致するディスク情報があった場合、記憶手段に記憶されている、再生チャンネル数の選択、ディジタルサラウンドモードの選択、ダウンミックス処理の有無、タイムアライメント処理の有無、画質調整パラメータ、イコライザ特性の係数等のディスクの調整パラメータが音声及び／または画像処理手段に自動的に設定されるので、メニュー操作あるいはボタン操作による煩雑な操作を必要とすることなく、ディスクの再生に関連したパラメータ調整を簡単に行うことができる。
【００３１】
また、本発明に係るディスク再生装置（９）〜（１１）によれば、ディスク再生時に、収録時間及び収録トラック数等のディスク情報が読み出されて記憶手段に記憶されたディスク情報と比較され、一致するディスク情報があった場合、記憶手段に記憶されている、ハイブリッドＣＤでのＣＤ／ＳＡＣＤの選択、ＤＴＳ、ドルビーサラウンドの再生フォーマット等の制御情報により再生手段が自動的に制御されるので、上記と同様に、ユーザが煩雑な操作を行うことなく、ディスクを所望の状態で再生することが可能となる。
【００３２】
さらに、本発明に係るディスク再生装置（１２）、（１３）によれば、ディスク情報に基づいてインターネットサーバから音声及び／または画像処理手段の推奨パラメータあるいは再生手段の推奨制御情報が取得され、この推奨パラメータあるいは推奨制御情報により音声及び／または画像処理手段あるいは再生手段が制御されるので、始めて再生するディスクでも最適パラメータ、最適制御状態を自動的に設定でき、ユーザの操作負担を軽減することができる。
【実施例】
【００３３】
以下、本発明のディスク再生装置をＤＶＤ再生装置に適用した場合の実施例について、図面を用いて説明する。図１はＤＶＤ再生装置の概略ブロック図であり、図に示すように、このＤＶＤ再生装置は、ディスク制御部１、音声処理部２、映像処理部３、ＣＰＵ４、メモリ５、ユーザインターフェース６、インターネット接続装置７により構成されている。
【００３４】
ディスク制御部１はスピンドルモータ８により回転されるディスク９に記録されている情報を光学的に読み取り、フォーカスエラー信号やトラッキングエラー信号等の誤差信号を生成し、ピックアップのフォーカスサーボ及びトラッキングサーボを行うとともに、スピンドルモータ８の回転速度をサーボ制御する。また、ディスク９の装填時には、ディスク制御部１は収録時間や収録トラック数等のディスク情報をディスク９から読み取ってＣＰＵ４に伝送するとともに、ディスク再生時には、再生データを信号処理して所定の圧縮処理が施されたオーディオストリームを音声処理部２に供給し、ビデオストリームを映像処理部３に供給する。さらに、ディスク制御部１は種々のディジタルオーディオストリームに対応したデコーダを備え、選択したオーディオストリームのデータをデコードして出力する。
【００３５】
一方、音声処理部２は供給されたオーディオストリームに対してダウンミックス処理やディジタルサラウンドモードの選択等の処理を行ってアンプ等に出力する。また、映像処理部３は供給されたビデオストリームに対してＣＰＵ４から入力された画質調整信号等に基づいて画質調整などの処理を行った後、映像信号を表示器等に供給する。
【００３６】
ＣＰＵ４はＤＶＤ再生装置の各部を制御するとともに、ユーザインターフェース６から入力されたユーザによるパラメータ調整などの指示を各装置に伝達する。また、このＣＰＵ４はインターネット接続装置７に接続されており、このインターネット接続装置７、インターネット網１０を介してサービスセンタ１１に接続される。なお、サービスセンタ１１はインターネット通信機能を備えたコンピュータ等から構成されたインターネットサーバであり、ディスク毎の推奨パラメータあるいは推奨制御情報を記憶したデータベースを備えている。
【００３７】
また、メモリ５は上記のディスク情報に関連付けてディスク制御部１の制御情報及び音声処理部２や映像処理部３の調整パラメータを記憶する記憶領域を備えている。さらに、ユーザインターフェース６は操作・表示パネルに設けられた操作ボタンとＬＣＤ表示部のタッチパネル等により構成され、ＬＣＤ表示部に表示されるＤＶＤソフト等に内蔵されたメニュー画面や再生装置内に内蔵されるメニュー画面、あるいは操作ボタンの操作により、画像の画質調整や音声のイコライザ特性の調整あるいはモードの選択等をユーザが行うことができる。
【００３８】
次に、ＤＶＤを再生する場合のＤＶＤ再生装置の作用について、図２のフローチャートにより説明する。
ユーザがディスク９をＤＶＤ再生装置に装填すると、ＣＰＵ４は図２に示すフローチャートのプログラムを開始し、まずディスク制御部１から入力されるディスクの収録時間、収録トラック数等のディスク情報を取得した（ステップ１０１）後、メモリ５に記憶されている過去に記憶したディスク情報を参照し、取り出す（ステップ１０２）。次に、ＣＰＵ４は、ディスク制御部１からのディスク情報とメモリ５に記憶されているディスク情報を順次比較することにより同一のディスク情報があるか否かを判定する（ステップ１０３）。なお、再生時間、再生トラック数等の情報の組み合わせはほぼディスク毎に固有と考えられるので、これらの情報を使用することにより同一のディスクか否かを判断することができる。
【００３９】
同一のディスク情報があると判定した場合には、ＣＰＵ４はメモリ５からそのディスク情報に対応して記憶されているデバイス制御情報、例えば、ストリーム選択情報を読み出してディスク制御部１に転送する（ステップ１０４）。次に、ＣＰＵ４はメモリ５からそのディスク情報に対応して記憶されている画質調整パラメータを読み出して映像処理部３に転送した（ステップ１０５）後、メモリ５からそのディスク情報に対応して記憶されている音質調整パラメータ、例えば、イコライザ特性等を読み出して音声処理部２に転送する（ステップ１０６）。
これにより、ディスク制御部１、音声処理部２、画像処理部３は過去にそのディスクを再生したときにユーザによって設定された状態に自動的に設定されるので、メニュー画面や操作ボタンによる煩雑な操作を行うことなく、ディスク再生装置を所望の再生状態に設定することができる。
【００４０】
一方、ステップ１０３で同一のディスク情報がメモリ５にないと判定した場合、あるいは、ステップ１０６での音声処理部２へのパラメータ転送が完了した場合には、ＣＰＵ４はユーザインターフェース６を介してユーザが操作を行ったか否かを判定する（ステップ１０７）。ユーザがユーザインターフェース６から、例えばセンタースピーカ不使用の指示を行った場合には、ＣＰＵ４はメモリ５のそのディスクのディスク情報に対応する記憶領域にその情報を記憶するとともに、音声処理部２にその情報を送信する（ステップ１０８）。これにより、音声処理部２はセンタースピーカ不使用によるダウンミックス処理を実行する状態に設定される。なお、この場合、装填されたディスクのディスク情報がメモリ５に記憶されていなかった場合には、ステップ１０１で取得したディスク情報により新たな記憶領域が自動的に作成される。
【００４１】
一方、ステップ１０７でユーザが操作を行っていないと判定した場合には、ＣＰＵ４はユーザによりディスクのイジェクト、あるいは電源オフ等の終了処理が行われたか否かを判定し（ステップ１０９）、終了処理が行われていない場合には、ステップ１０７に戻る。
そして、ユーザがＤＶＤの再生を開始し、ユーザが再生されている画像を見ながら、ユーザインターフェース６から、画質調整を行った場合には、ＣＰＵ４は、同様にメモリ５のそのディスクのディスク情報に対応する記憶領域にその情報を記憶するとともに、映像処理部３に画質調整情報を送信し（ステップ１０８）、映像処理部３によりユーザが操作した画質調整が行われる。また、ステップ１０９でユーザが終了処理を行ったと判定した場合には、ＣＰＵ４はプログラムを終了する。
【００４２】
上記のように、ディスクを装填して、ユーザがパラメータ調整等の操作を行った場合には、その操作情報がメモリ５に記憶され、後日そのディスクを再度ＤＶＤ再生装置に装填した場合には、ディスク制御部１、音声処理部２、画像処理部３が過去にそのディスクを再生したときにユーザによって設定された状態に自動的に設定されるので、ユーザの手間を省くことが可能となる。
【００４３】
上記の実施例では、最初のディスク再生時に、最適値をユーザが入力する必要があるが、ディスク毎の推奨パラメータをインターネットで提供し、ディスク再生装置が、該当するインターネットサーバへアクセスして推奨パラメータを取得することにより、始めて再生するディスクでも最適パラメータを自動的に設定できるようにすることが可能である。
以下、以上のように、インターネット経由で最適パラメータを取得してＤＶＤ再生装置に自動設定する場合の作用について図３のフローチャートにより説明する。
【００４４】
ユーザがディスク９をＤＶＤ再生装置に装填すると、ＣＰＵ４は図３に示すフローチャートのプログラムを開始し、まずディスク制御部１から入力されるディスクの収録時間、収録トラック数等のディスク情報を取得した（ステップ２０１）後、メモリ５に記憶されている過去に記憶したディスク情報を参照し、取り出す（ステップ２０２）。次に、ＣＰＵ４は、ディスク制御部１からのディスク情報とメモリ５に記憶されているディスク情報を順次比較することにより同一のディスク情報があるか否かを判定する（ステップ２０３）。
【００４５】
同一のディスク情報があると判定した場合には、上記と同様に、ＣＰＵ４はメモリ５からそのディスク情報に対応して記憶されているデバイス制御情報を読み出してディスク制御部１に転送する（ステップ２０４）。次に、ＣＰＵ４はメモリ５からそのディスク情報に対応して記憶されている画質調整パラメータを読み出して映像処理部３に転送した（ステップ２０５）後、メモリ５からそのディスク情報に対応して記憶されている音質調整パラメータを読み出して音声処理部２に転送する（ステップ２０６）。
【００４６】
一方、ステップ２０３で同一のディスク情報がメモリ５に記憶されていないと判定した場合には、ＣＰＵ４はインターネット接続装置７を介して読み取ったディスク情報を予め設定されたインターネットアドレスに送信する（ステップ２０７）。なお、このインターネットアドレスはサービスセンタ１１の最適パラメータが格納されたデータベースの記憶領域を示しており、このディスク情報送信に応じてデータベースを有するサービスセンタ１１が上記ディスク情報に該当するディスクの最適パラメータを読み出し、インターネット網１０を介してＤＶＤ再生装置に返送する。
【００４７】
ディスク情報を送信した後、ＣＰＵ４は最適パラメータ情報を受信したか否かを判定し（ステップ２０８）、最適パラメータ情報を受信した場合には、ＣＰＵ４は受信した最適パラメータ情報とステップ２０１で取得したディスク情報をセットにしてメモリ５に記憶する（ステップ２０９）。次に、ＣＰＵ４は最適パラメータから抽出したデバイス制御情報、音質・画質調整パラメータをそれぞれディスク制御部１、音声処理部２、画像処理部３に転送する（ステップ２１０）。
【００４８】
そして、ステップ２０６あるいはステップ２１０でのパラメータ転送が完了すると、上記と同様に、ＣＰＵ４はユーザインターフェース６を介してユーザが操作を行ったか否かを判定し（ステップ２１１）、ユーザがユーザインターフェース６を介してなんらかの操作を行った場合には、ＣＰＵ４はメモリ５のそのディスクのディスク情報に対応する記憶領域にその情報を記憶するとともに、対応する処理部にその情報を送信する（ステップ２１２）。
【００４９】
また、ステップ２１１でユーザが操作を行っていないと判定した場合には、ＣＰＵ４はユーザによりディスクのイジェクト、あるいは電源オフ等の終了処理が行われたか否かを判定し（ステップ２１３）、終了処理が行われていない場合には、ステップ２１１に戻り、ユーザが終了処理を行った場合には、プログラムを終了する。
【００５０】
以上のように、装填したディスクのディスク情報がメモリ５に記憶されていない場合には、ディスク情報に基づいてインターネットサーバとしてのサービスセンタ１１から音声処理部２、画像処理部３の推奨パラメータあるいはディスク制御部１の推奨制御情報が取得され、この推奨パラメータあるいは推奨制御情報によりディスク制御部１の制御状態の設定、音声処理部２あるいは画像処理部３の調整パラメータの設定が行われるので、始めて再生するディスクでも最適パラメータ、最適制御状態を自動的に設定することができる。
【００５１】
なお、上記の実施例では、ディスク情報として再生時間と再生トラック数の情報の組み合わせを使用したが、その他の情報も使用することにより間違ったディスクが同一と判断される可能性を減少させることが可能である。
また、上記の実施例では、ＤＶＤを再生するＤＶＤ再生装置を例として説明したが、本発明のディスク再生装置は、映像処理部を備えていないＣＤ再生装置等のその他のディスク再生装置にも適用することができる。
【００５２】
さらに、上記の実施例では、インターネットによる最適パラメータの設定を行う場合に、再生時間、再生トラック数等のディスク情報をサービスセンタに送信したが、ディスクの製作会社名、ディスク名称等の情報を送信して最適パラメータを受信することも可能である。
また、上記の実施例では、同一のディスク情報がないと判定した場合にインターネット経由で最適パラメータを受信したが、ユーザの指示によりインターネット経由で最適パラメータを受信できるようにすることもできる。
【図面の簡単な説明】
【００５３】
【図１】本発明のディスク再生装置を適用したＤＶＤ再生装置の概略ブロックを示す図である。
【図２】ＤＶＤを再生する場合のＤＶＤ再生装置の作用を示すフローチャートである。
【図３】インターネット経由で最適パラメータを取得する場合の作用を示すフローチャートである。
【符号の説明】
【００５４】
１  ディスク制御部
２  音声処理部
３  映像処理部
４  ＣＰＵ
５  メモリ
６  ユーザインターフェース
７  インターネット接続装置
８  スピンドルモータ
９  ディスク
１０  インターネット網
１１  サービスセンタ
【図１】
2006031866.tif 000003
【図２】
2006031866.tif 000004
【図３】
2006031866.tif 000005